(57)【特許請求の範囲】
【請求項１】
角筒状の本体部の相対向する２面のうちの一方の面に連設された第１フラップ上に、他方の面に連設されたジッパー付きの第２フラップを重ねた状態に接合して開封面が形成されているジッパー付きカートンであって、
第１フラップと前記一方の面との間に第１折れ線を有し、第２フラップと前記他方の面との間に第２折れ線を有しており、
前記ジッパーは、前記第２フラップを、その一方の側縁から他方の側縁に亘って引き裂き可能に形成されており、
前記第１フラップは、前記ジッパーの開封開始端側の側縁と、該ジッパーの終端側の側縁とを有し、該開封開始端側の側縁における前記ジッパーと重なる部分が切り欠かれており、
前記開封開始端側の側縁は、前記ジッパーと重なる部分から前記第１フラップの先端縁に亘って切り欠かれており、前記第１フラップは、前記開封開始端側の側縁における前記切り欠かれた部分の前記第１折れ線側に段差部を有しており、
前記ジッパーは、前記開封開始端の両脇に三角形状の２つの欠損部を有し、前記段差部が、前記２つの欠損部のうち前記第１折り線側の欠損部とほぼ重なる位置に形成されている、ジッパー付きカートン。
【発明の詳細な説明】
【技術分野】
【０００１】
本発明は、ジッパー付きカートンに関する。
【背景技術】
【０００２】
従来、商品の包装箱等として利用されているジッパー付きカートンとして、角筒状の本体部の相対向する２面のうちの一方の面に連設された第１フラップ上に、他方の面に連設されたジッパー付きの第２フラップを重ねた状態に接合して開封面を形成してあるものが知られている。開封面は、商品等を取り出すためにジッパーにより破断される面である。
例えば、特許文献１には、カートンの天パネル（開封面）に２本の切り込みによるジッパーを設け、該ジッパーの開始端からなる摘み部の端辺が重なる、カートンの陵線上に凹部を形成したジッパー付きカートンが記載されている（図６，７等参照）。同文献によれば、ジッパーの摘み部とカートンの凹部との間に隙間が形成されることにより、ジッパーの摘み部が摘みやすくなり、ジッパーの開封が容易となる旨が記載されている。
【先行技術文献】
【特許文献】
【０００３】
【特許文献１】特許４０５０８９２号公報
【発明の概要】
【発明が解決しようとする課題】
【０００４】
しかしながら、特許文献１のジッパー付きカートンにおいては、天パネルとその直下に重ねて配置された天下パネルとが、略同形状で、ジッパーの開始端からなる摘み部が天下パネルと重なっているため（特許文献１の図６，図７参照）、ジッパーの摘み部とその下の凹部との間に天下パネルが介在して邪魔になり、摘み部に指を掛けにくい。
【０００５】
従って、本発明の課題は、ジッパーを指で摘みやすく、開封操作が容易なジッパー付きカートンを提供することにある。
【課題を解決するための手段】
【０００６】
本発明は、角筒状の本体部の相対向する２面のうちの一方の面に連設された第１フラップ上に、他方の面に連設されたジッパー付きの第２フラップを重ねた状態に接合して開封面が形成されているジッパー付きカートンであって、前記ジッパーは、前記第２フラップを、その一方の側縁から他方の側縁に亘って引き裂き可能に形成されており、前記第１フラップは、前記ジッパーの開封開始端側の側縁と、該ジッパーの終端側の側縁とを有し、該開封開始端側の側縁における前記ジッパーと重なる部分が切り欠かれている、ジッパー付きカートンを提供するものである。
【発明の効果】
【０００７】
本発明のジッパー付きカートンは、ジッパーを指で摘みやすく、開封操作が容易である。
【図面の簡単な説明】
【０００８】
【図１】図１は、本発明の一実施形態であるジッパー付きカートンの概略斜視図である。
【図２】図２（ａ）は、図１に示すジッパー付きカートンのブランクを示す平面図であり、図２（ｂ）は、後フラップの開封開始端側の側縁近傍を示す、図２（ａ）の一部拡大図である。
【図３】図３は、図１に示すジッパー付きカートンの天面部（開封面）付近の構成を示す図であり、前フラップを後フラップに接合する前の状態を示す斜視図である。
【図４】図４は、図１のＩ−Ｉ線断面図である。
【図５】図５は、図１に示すジッパー付きカートンのジッパーを引き裂く様子を示す概略斜視図である。
【図６】図６（ａ）〜（ｃ）は、本発明の変形例を示す図である。
【発明を実施するための形態】
【０００９】
以下、本発明を、その好ましい実施形態に基づき図面を参照しながら説明する。
（第１実施形態）
図１及び図３に示すように、第１実施形態のジッパー付きカートン１（以下、単にカートン１ともいう）においては、角筒状の本体部３０の相相対する２面（前面部４，後面部２）のうちの一方の面である後面部２に連接された後フラップ７（第１フラップ）上に、他方の面である前面部４に連設されたジッパー付きの前フラップ９（第２フラップ）を重ねた状態に接合して開封面４１が形成されている。開封面４１は、カートン１の外面をなす６面のうち、カートン１内に収容した商品等を取り出すために、ジッパー１５により破断される面である。
【００１０】
ジッパー１５は、前フラップ９（第２フラップ）に、その一方の側縁９ｂから他方の側縁９ｃに亘って引き裂き可能に形成されている。
また、後フラップ７は、ジッパー１５の開封開始端１５ｃ側の始端側側縁７ｃと、ジッパー１５の終端１５ｄ側の終端側側縁７ｇを有しており、そのうちの始端側側縁７ｃにおけるジッパー１５と重なる部分７ｄが切り欠かれている。
なお、ジッパー１５は、前フラップ９において、前フラップ９と前面部４との間に介在する折れ線２２と略平行な方向（Ｘ方向と略平行な方向）に延びて形成されている。
【００１１】
本実施形態のカートン１における前面部４は、内部に商品を収容した状態で、店頭に陳列される際に、消費者側に向けられる面であり、商品名や商品に関する情報、商品を目立たせるための装飾等が施されている。なお、後面部２、左側面部３、及び右側面部には、商品に関する他の情報、例えば使用方法や内容物についての説明等が表示されている。図中、Ｘ方向は、後述する折れ線２０，２２が延びる方向ないし折れ線２０，２２と平行な方向である。
【００１２】
図１に示すように、ジッパー付きカートン１は、板紙からなる略直方体形状の箱体であり、断面四角形状の角筒状の本体部３０と、本体部３０の上端部を閉鎖する天面部４０と、本体部３０の下端部を閉鎖する底面部５０とを有する。
本体部３０は、前面部４、後面部２、左側面部３及び右側面部５からなる。前面部４と後面部２とは、略同一寸法の長方形状を有し、互いに略平行をなして相対向している。左側面部３及び右側面部５は、それぞれ、前面部４と後面部２との間を繋いでいる。左側面部３と右側面部５とは、略同一寸法の長方形状を有し、互いに略平行をなして相対向している。
【００１３】
図１に示すジッパー付きカートン１は、図２（ａ）に示す形状のブランク３１を立体状に組み立てたものである。ブランク３１は、板紙を、裁断や打ち抜くことによって得られる。
より具体的に説明すると、上述した本体部３０は、折れ線１９，１８，１７，１６を介して互いに連結された、右側面部５、前面部４、左側面部３、後面部２及び糊代部６からなり、糊代部６を右側面部５の裏面に接着して角筒状に組み立てることにより形成されている。
また、右側面部５の上下には、折れ線２７，２３を介して、下側の右フラップ１４及び上側の右フラップ１０が連設されている。また、前面部４の上下には、折れ線２６，２２を介して、下側の前フラップ１３及び上側の前フラップ９が連設されている。また、左側面部３の上下には、折れ線２５，２１を介して、下側の左フラップ１２及び上側の左フラップ８が連設されており、後面部２の上下には、折れ線２４，２０を介して下側の後フラップ１１及び上側の後フラップ７が連設されている。
【００１４】
天面部４０は、図３に示すように、左側面部３及び右側面部５に対して略直角に折り曲げられた左フラップ８及び右フラップ１０上に、後フラップ７を、後面部２に対して略直角に折り曲げて重ね、更に、その後フラップ７上に、前フラップ９を、前面部４に対して略直角に折り曲げて重ね、その際、後フラップ７に設けた接着剤層７ａを介して、後フラップ７の上面と前フラップ９の下面とを接合することにより形成されている。
天面部４０の上面が、カートン１の開封面４１である。
【００１５】
接着剤層７ａは、後フラップ７における、ジッパー１５が重なる部分よりも折れ線２０側に形成されており、そのため、ジッパー１５を引き裂いて、前フラップ９を折れ線２２側部分と先端縁９ａ側部分とに分断することで、天面部４０が開放され、カートン１内に収容した商品等を取り出し可能となる。
なお、本実施形態のカートン１においては、左フラップ８は、後フラップ７及び前フラップ９の何れにも接合されておらず、右フラップ１０も、後フラップ７及び前フラップ９の何れにも接合されていない。但し、左フラップ８及び右フラップ１０を、手で容易に引き剥がし可能な程度の弱い接着力で後フラップ７等に接合することもできる。
【００１６】
続いて、図１〜図３を参照しつつ、ジッパー付きカートン１における後フラップ７と前フラップ９の形状について詳述する。
前フラップ９は、図１、図２（ａ）に示すように、略長方形状であり、折れ線２２に対して略直角をなす一対の側縁９ｂ，９ｃと、折れ線２２と略平行な先端縁９ａとを有している。
前フラップ９は、折れ線２２の長さに対してわずかに短い幅と、折れ線２１（又は折れ線２３）の長さに対してわずかに短い長さを有し、本体部３０の上端部のほぼ全体を覆う形状をしている。ここで、前フラップ９の幅とは、上記Ｘ方向における一対の側縁９ｂ，９ｃ間の距離を意味し、前フラップ９の長さとは、Ｘ方向に対して直交する方向における前フラップ９の先端縁９ａから折れ線２２までの距離を意味する。
【００１７】
図３に示すように、前フラップ９のジッパー１５は、前フラップ９の一方の側縁９ｂから他方の側縁９ｃに亘って形成されている。ジッパー１５は、一方の側縁９ｂから他方の側縁９ｃに向かって延びる平行な二列のジッパーライン１５ａ，１５ａ上に、左右対称な略Ｌ字状の切り込み１５ａ’，１５ａ’を不連続に配列して形成されている。このジッパー１５の一端１５ｃを指で摘んで引っ張ることによって、前フラップ９が、ジッパーライン１５ａ，１５ａのそれぞれに沿って破断され、開封面４１が引き裂かれる。開封開始端１５ｃは、ジッパー１５における開封時に指で摘むように構成されている端部である。
【００１８】
また、前フラップ９における前記側縁９ｂ側の端部におけるジッパーライン１５ａ，１５ａ上には、平行な２本の切れ線１５ｂ，１５ｂが入れられていることにより、ジッパー１５の開封開始端１５ｃが、指で摘みやすく構成されている。また、ジッパー１５の切れ線１５ｂ，１５ｂの基端には、略三角形の欠損部１５ｅ，１５ｅが形成され、更に、開封開始端１５ｃが一層摘み易くなっている。
【００１９】
ジッパー１５の開封開始端１５ｃは、ジッパー１５における開封時に指で摘むように構成されている端部であり、ジッパー１５の終端１５ｄは、ジッパー１５における開封開始端１５ｃとは反対側の端部である。
本実施形態では、ジッパーライン１５ａ，１５ａの延設方向（すなわちジッパー１５の開封方向）は、折れ線２２と略平行な（Ｘ方向と略平行な）方向である。
なお、本実施形態におけるジッパー１５は、前フラップ９における、Ｘ方向と直交する方向の略中央部に形成されているが、それに代えて、ジッパー１５が、当該中央部よりも折れ線２２側、或いは先端縁９ａ側に形成されていても良い。
【００２０】
他方、後フラップ７は、図２（ａ）に示すように、略長方形状であり、折れ線２０と略直角な一対の側縁（始端側側縁７ｃ及び終端側側縁７ｇ）と、折れ線２０と略平行な先端縁７ｂを有している。図３に示すように、カートン１において、後フラップ７の始端側側縁７ｃは、折れ線２０，２２と平行な方向（Ｘ方向）において、ジッパー１５の開封開始端１５ｃ側に位置する側縁であり、後フラップ７の終端側側縁７ｇは、ジッパー１５の終端１５ｄ側に位置する側縁である。
【００２１】
後フラップ７の長さＬ１（Ｘ方向と直交する方向の長さ、図２（ａ）参照）は、前フラップ９の同方向の長さよりも短い。しかし、後フラップ７の前記長さＬ１は、Ｘ方向と直交する方向における折れ線２０からジッパー１５（折れ線２２側のジッパーライン１５ａ）までの距離Ｌ２（図１参照）以上であり、該距離Ｌ２より長いことが好ましい。即ち、後フラップ７は、図１に示すように、後フラップ７が少なくともジッパー１５の全体と重なる位置まで延在しており、より好ましくは、ジッパー１５の全体と重なる位置より折れ線２２側まで延在している。これにより、カートン１内に光やホコリ等が入ることが防止される。
後フラップ７の上述した接着剤層７ａは、折れ線２０近傍に設けられ、折れ線２０と略平行に延びる縦長長方形状に形成されている。
【００２２】
図１〜図３に示すように、後フラップ７は、始端側側縁７ｃにおけるジッパー１５と重なる部分７ｄが切り欠かれている。即ち、切り欠かれていない場合に想定される後フラップの始端側側縁７ｃ’の一部７ｄが欠落して、その始端側側縁７ｃ’の位置よりＸ方向内側（終端側側縁７ｇ側）に後退した位置に切り欠き縁部７ｅが形成されている。
切り欠かれていない場合の後フラップの始端側側縁７ｃ’としては、折れ線２０に直交する直線に対して左右対称である以外は終端側側縁７ｇと同形状の側縁や、Ｘ方向の最も外側に位置する、折れ線２０の略直交方向に延びる側縁７ｃを延長した側縁７ｃ’を想定する。
図１、図２（ｂ）に示すように、始端側側縁７ｃにおけるジッパー１５と重なる部分７ｄとは、切り欠かれない場合の始端側側縁７ｃ’のうちジッパー１５の直ぐ下方に位置してジッパーライン１５ａ，１５ａ及びその間の部分と重なる部分を意味する。始端側側縁７ｃのジッパー１５と重なる部分７ｄは、始端側側縁７ｃの切り欠かれていない部分よりも、後フラップ７のＸ方向内側に位置する切り欠き縁部７ｅが生じるように切り欠かれている。
【００２３】
図２（ｂ）等に示すのように、本実施形態における後フラップ７の始端側側縁７ｃは、ジッパー１５と重なる部分７ｄだけでなく、ジッパー１５と重なる部分７ｄから後フラップ７の先端縁７ｂに亘って切り欠かれている。
また、切り欠き縁部７ｅのうち、後述する段差部７ｆ以外の部分は直線状に形成されている。切り欠き縁部７ｅにおける直線部分と、始端側側縁７ｃの切り欠かれていない部分（後述する段差部７より折れ線２０側の部分）とは略平行であり、その間に生じる段差の幅Ｗ（Ｘ方向の寸法、図２（ｂ）参照）は、１ｍｍ以上が好ましく、より好ましくは２ｍｍ以上である。１ｍｍ以上とすることにより、後述の「貼りズレ」等を考慮しても、ジッパー１５の開封開始端１５ｃが後フラップ７とが重なって開封開始端１５ｃを摘みにくくなることを抑制することができる。幅Ｗは、特に上限値を有しないが、始端側側縁７ｃが切り欠かれていない部分における後フラップ７のＸ方向の全長に対して、５０％未満であることが好ましく、２０％以下、特に１０％以下であることが好ましい。なお、当該段差の幅Ｗは、後フラップ７の始端側側縁７ｃにおける切り欠き部分の幅でもある。
【００２４】
また、後フラップ７の始端側側縁７ｃ’が幅方向（Ｘ方向）内側に切り欠かれていることにより、実際の始端側側縁７ｃには、切り欠き縁部７ｅの一部である段差部７ｆが、後フラップ７の始端側側縁７ｃ（７ｃ’）におけるジッパー１５と重なる部分７ｄの近傍に形成されている。
段差部７ｆの、始端側側縁７ｃの切り欠かれていない部分に対する角度ｕは、９０°超であることが好ましく、１００〜１７０°であることがより好ましい。なお、段差部７ｆと、切り欠き縁部７ｅの直線部分や始端側側縁７ｃの切り欠かれていない部分との接続部には、丸みを持たせることも好ましい。
【００２５】
図１に示すように、段差部７ｆは、ジッパー１５の開封開始端１５ｃの両脇に形成された三角形状の欠損部１５ｅ，１５ｅのうち、折れ線２０側の欠損部１５ｅとほぼ重なる位置に形成されている。
図２（ａ）に示すように、左フラップ８は、表面に流通時に商品の種類等を識別するためのバーコード等が印刷された略長方形状の白抜き部８ａを有する。このような白抜き部分８ａは色彩や仕上げを施されていない部分であり、カートン１の美観を損なわない観点から、消費者の目につかないことが好ましい。
また、本実施形態のカートン１では、後フラップ７における段差部７ｆから折れ線２０までの距離Ｌ３は、左フラップ８における白抜き部８ａから、後フラップ７側の側縁までの距離Ｌ４よりも大きい。これにより、図３に示すように、後フラップ７の始端側側縁７ｃの、折れ線２０から段差部７ｆまでの切り欠かれていない部分によって白抜き部分８ａ全体が覆われ、商品陳列時等に白抜き部分８ａが消費者の目につかないようにできる。
【００２６】
次に、図３及び図４を参照しつつ、後フラップ７の始端側側縁７ｃにおける切り欠きの作用を説明する。
本実施形態のカートン１においては、図３に示すように、後フラップ７の接着剤層７ａに前フラップ９の裏面が接着される際、後フラップ７における始端側側縁７ｃ’のジッパー１５と重なる部分７ｄが、Ｘ方向内側に切り欠かれていることにより、ジッパー１５の開封開始端１５ｃ側に、後フラップ７と重なっていない、指で容易に摘める部分が確実に形成される。
【００２７】
即ち、図４に示すように、後フラップ７の幅方向（Ｘ方向）において、後フラップ７の終端側側縁７ｇ側においては、後フラップ７が、ジッパー１５の終端１５ｄまで延在しているのに対して、後フラップ７の始端側側縁７ｃ（切り欠き縁部７ｅ）側においては、後フラップ７の切り欠き縁部７ｅが、前フラップ９におけるジッパー１５の開封開始端１５ｃ側の端縁（縁部９ｂ）の位置に対してＸ方向内側に大きく後退した位置にある。従って、ジッパー１５の開封開始端１５ｃと左フラップ８の上面との間に隙間Ｓが確実に形成されると共に、その隙間ＳのＸ方向の長さＬ５を大きくできる。これにより、隙間Ｓに指を差し込んで、ジッパー１５の開封開始端側を指で摘むことが容易である。指による摘み易さの向上の点から、前記隙間Ｓの長さＬ５〔Ｘ方向における切り欠き縁部７ｅから開封開始端１５ｄ（ジッパーのＸ方向最外端１５ｄ’）までの距離〕は、１ｍｍ以上が好ましく、より好ましくは２ｍｍ以上であり、更に好ましくは３ｍｍ以上である。
【００２８】
本実施形態のジッパー付きカートン１の開封方法について説明すると、カートン１を開封する際には、先ず、ジッパー１５の開封開始端１５ｃを指で摘む。このとき、図５のように、親指と人差し指で摘むのが一般的と思われる。本実施形態のカートン１においては、前述したように、ジッパー１５の開封開始端１５ｃと左フラップ８上面との間に長さＬ５の隙間Ｓが確実に形成されるので、親指又は人指し指を当該隙間Ｓに容易に挿入でき、ジッパー１５の開封開始端１５ｃを容易に摘むことができる。
そして、摘んだ開封開始端１５ｃを引っ張り、ジッパー１５を開封方向に引き裂いて、開封面４１を破断し、引き裂く。これにより、本体部３の上端が開放されて、カートン１内の商品等を取り出すことができる。
【００２９】
このように、本実施形態のジッパー付きカートン１によれば、ジッパー１５の開封開始端１５ｃを指で摘みやすく、開封操作が容易である。
【００３０】
特に、本実施形態のカートン１は、角筒状の本体部３０を、糊代部６と右側面部５の裏面とを接合して形成するため、本体部３０を角筒状に形成する際に、折れ線１６，１８を鈍角の頂点に、折れ線１７，１９を鋭角の頂点とする略平行四辺形に歪みやすい。図３を参照して説明すると、本体部３０の歪みにより前フラップ９の側縁９ｂは、先端に向かうにつれて折れ線２１から離間するように傾斜した状態になりやすく、当該状態において後フラップ７の接着剤層７ａに前フラップ９を接着してしまう「貼りズレ」が起こりやすい。
【００３１】
この「貼りズレ」が起こると、図４に示すよりも、開封開始端１５ｃの位置がＸ方向内側（図４中左方向）にずれてしまう。しかし、本実施形態のカートン１では、後フラップ７の始端側側縁７ｃ’を切り欠いて切り欠き縁部７ｅを形成したことにより、「貼りズレ」が起きた場合でもジッパー１５の開封開始端１５ｃに後フラップ７が重ならずに、開封開始端１５ｃと左フラップ８との間に隙間Ｓが確実に形成される。そのため、本実施形態のカートン１によれば、「貼りズレ」によるジッパー１５の開封容易性の低下も効果的に抑制できる。
【００３２】
また後フラップ７の始端側側縁７ｃ（７ｃ’）は、ジッパー１５と重なる部分７ｄから後フラップ７の先端縁７ｂに亘って切りかかれているため、後フラップ７の始端側側縁７ｃのうち、段差部７ｆより先端縁７ｂ側の部分には後フラップ７の幅方向外側へ突起する凸部分が形成されず、組み立て時に始端側側縁７ｃが別の部位に引っかかって裂けてしまう等の問題を防止できる。
【００３３】
なお、上述したカートン１における底面部５０は、左側面部３及び右側面部５に対して略直角に折り曲げられた左フラップ１２及び右フラップ１４上に、後フラップ１１を、後面部２に対して略直角に折り曲げて重ね、更に、その後フラップ１１上に、前フラップ１３を、前面部４に対して略直角に折り曲げて重ね、その際、後フラップ１１に設けた接着剤層１１ａを介して、後フラップ１１と前フラップ１３とを接合することにより形成されている。
【００３４】
以上、本発明の好ましい実施形態について説明したが、本発明は、上述した実施態様に制限されることなく、適宜変更可能である。
例えば、後フラップ７の始端側側縁７ｃの形状は、図２（ｂ）で示す形状に代えて、図６（ａ）〜（ｃ）に示す変形例の形状とすることもできる。
【００３５】
図６（ａ）に示す変形例においては、後フラップ７Ａは、始端側側縁７ｃ’における、ジッパー１５と重なる部分７ｄのみ（或いは該重なる部分７ｄとその近傍部分のみ）がＸ方向内側に切り欠かれている。そのため、当該切り欠きにより形成された切り欠き縁部７ｈは、その折れ線２２側に上記実施形態と同じ段差部７ｆを有するだけでなく、先端縁７ｂ側に段差部７ｉを有する。なお、切り欠き縁部７ｈのうち、段差部７ｆと段差部７ｉと
の間の部分は、始端側側縁７ｃの切り欠かれていない部分と略平行な直線状となっている。
当該変形例では、カートン１の組み立て時に段差部７ｉが他の部位に引っかかる等して
組み立ての障害になる恐れがあるものの、上記実施形態と同様の効果を得られる。なお、図６（ａ）のように、段差部７ｉの角７Ｉを鈍角に構成することにより、当該引っかかり
等はある程度防止可能である。
【００３６】
図６（ｂ）に示す変形例においては、後フラップ７Ｂは、始端側側縁７ｃ’が、ジッパー１５と重なる部分７ｄから折れ線２０近傍に掛けて切り欠かれている。そのため、当該切り欠きによる切り欠き縁部７ｊは、折れ線２０近傍に段差部７ｋを有する。切り欠き縁部７ｈの段差部７ｉと段差部７ｋの間に挟まれた部分は、始端側側縁７ｃの切り欠かれて
いない部分と略平行な直線状に形成されている。
図６（ｂ）に示す変形例では、カートン１の組み立て時に段差部７ｉが他の部位に引っ
かかって組み立ての障害になる恐れがあり、また切り欠き部分が白抜き部８ａと重なるため、白抜き部分８ａが一部露出してしまう可能性があるものの、上記実施形態と同様の効果を得られる。
【００３７】
また図６（ｃ）に示す変形例においては、後フラップ７Ｃは、始端側側縁７ｃ’の、後フラップ７の先端縁７ｂから折れ線２０近傍までの部分が切り欠かれている。実際の始端側側縁７ｃにおいて、当該切り欠きによる切り欠き縁部７ｍは、折れ線２０近傍に段差部７ｋを有する。切り欠き縁部７ｍのうち、段差部７ｋよりも先端縁７ｂ側の部分は折れ線２０と略直交する直線状に形成されている。図６（ｂ）に示す変形例では、切り欠き部７ｌが白抜き部８ａと重なるため、白抜き部８ａが一部露出してしまう可能性があるものの、上記実施形態と同様の効果を得られる。
【００３８】
また、実施形態では切り欠き縁部のうち段差部以外の部分は切り欠かれていない部分と略平行な直線状に形成されていたが、必ずしもその必要はなく、切り欠かれていない部分に対し一定程度傾斜した直線でもよいし、曲線状であってもよい。
また、実施形態では、前フラップや後フラップの側縁は折れ線に略直交する直線状に形成されているが、折れ線に対し一定程度傾斜していてもよい。
また、本発明におけるジッパーは、開封面を一定方向に引き裂き可能なものであれば、例えば切り込み１５ａの形状等、変更可能であり、実施形態で示す形状に限定されない。
また、本発明における開封面は必ずしも天面部に設けられる必要はなく、前面部等に設けられていてもよい。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００３９】
１  ジッパー付きカートン
２  後面部
３  左側面部
４  前面部
５  右側面部
７，７Ａ〜７Ｃ  後フラップ（第１フラップ）
７ｃ  始端側側縁
７ｄ  始端側側縁の切り欠かれた部分
７ｇ  終端側側縁
７ｄ  ジッパーと重なる部分
７ｅ，７ｈ，７ｊ  切り欠き縁部
７ｆ，７ｋ  段差部
８  左フラップ
９  前フラップ（第２フラップ）
９ｂ  側縁（一方の側縁）
９ｃ  側縁（他方の側縁）
１０  右フラップ
１５  ジッパー
１５ｃ  開封開始端
１５ｄ  終端
２０，２２  折れ線
３０  本体部
４０  天面部
４１  開封面
５０  底面部
【図１】
0005626887.tif 000002
【図２】
0005626887.tif 000003
【図３】
0005626887.tif 000004
【図４】
0005626887.tif 000005
【図５】
0005626887.tif 000006
【図６】
0005626887.tif 000007